(57)【特許請求の範囲】
【請求項１】
装置が、
書籍情報に含まれる複数の単語のうち、指定された単語である指定単語を特定し、
辞書データに含まれる複数の見出し語のうち、辞書引きの対象となった見出し語を登録し、
前記登録された見出し語のうち、前記特定された前記指定単語に対応する見出し語を、書籍対応見出し語として抽出し、
前記書籍対応見出し語の抽出状況を示す画像を表示する、
情報表示制御を行う情報表示制御方法。
【請求項２】
前記情報表示制御は、前記抽出された前記書籍対応見出し語の数に応じた画像を表示する、請求項１記載の情報表示制御方法。
【請求項３】
前記情報表示制御は、前記辞書データ内における前記抽出された前記書籍対応見出し語の位置に応じた画像を表示する、請求項１または２に記載の情報表示制御方法。
【請求項４】
前記情報表示制御は、
複数の書籍情報のうちの１つを選択し、
前記選択された書籍情報に含まれる複数の単語の中で、辞書引きの対象となる単語を前記指定単語として指定し、
前記辞書データから、前記指定単語に対応する見出し語を検索し、
前記登録された見出し語のうち、前記選択された書籍情報に含まれる前記指定単語に対応して検索された見出し語を、前記書籍対応見出し語として抽出する、
請求項１乃至３のいずれかに記載の情報表示制御方法。
【請求項５】
前記情報表示制御は、
前記書籍情報に含まれる複数の単語のうち、前記辞書引きの対象となった前記指定単語を抽出し、
前記指定単語の抽出状況を示す画像を表示する、請求項４記載の情報表示制御方法。
【請求項６】
前記情報表示制御は、
複数の辞書データのうちの１つを選択し、
前記選択した辞書データから、前記指定単語に対応する見出し語を検索し、
前記選択した辞書データに対応して登録された見出し語のうち、前記特定された前記指定単語に対応する見出し語を、辞書書籍対応見出し語として抽出し、
前記辞書書籍対応見出し語の抽出状況を示す画像を表示する、
請求項５に記載の情報表示制御方法。
【請求項７】
書籍の情報を出力する通信機器と通信する通信手段と、
複数の見出し語を記憶している辞書データから何れかの見出し語を取得する見出し語取得手段と、
前記見出し語取得手段により取得された見出し語を登録する登録手段と、
前記登録手段により登録された前記見出し語の数に応じた画像を、前記辞書データに対応する辞書画像に付加した第１辞書画像を表示する第１表示手段と、
前記通信手段を通じて前記通信機器が前記書籍の情報を出力する状態にあることが検出された場合に、前記書籍に含まれる単語に対応する、前記登録手段により登録された前記見出し語の数に応じた画像を、前記辞書画像に付加した第２辞書画像を表示する第２表示手段とを有する辞書端末。
【請求項８】
前記登録手段は、付箋を設定する付箋機能により前記付箋が付与された前記見出し語を登録し、
前記第１表示手段及び前記第２表示手段は、前記登録手段により登録された前記見出し語に対応する付箋を表す付箋画像を、前記辞書画像に付加する請求項７記載の辞書端末。
【請求項９】
前記登録手段により登録された前記見出し語に対応する前記書籍中の単語の位置に応じて、前記書籍を表す書籍画像に付箋画像を付加した第１書籍画像を表示する第３表示手段をさらに有する請求項７記載の辞書端末。
【請求項１０】
前記第３表示手段は、前記見出し語に対応する前記単語の前記書籍のページ中に含まれる位置に応じて、前記書籍を表す書籍画像に前記付箋画像を付加した第１書籍画像を表示する請求項９記載の辞書端末。
【請求項１１】
前記辞書データは、前記複数の見出し語にそれぞれの説明情報を対応づけて記憶しており、
前記見出し語取得手段は、前記取得される見出し語に対応づけられた説明情報を取得する説明情報取得手段を備え、
前記登録手段により登録された前記見出し語に対応する前記説明情報に含まれる文字列を指定する指定手段をさらに有し、
前記第１表示手段及び前記第２表示手段は、前記指定手段により指定された文字列の前記説明情報全体における位置に応じて、前記付箋画像を前記辞書画像に付加する請求項８記載の辞書端末。
【請求項１２】
前記通信手段を通じて前記通信機器が前記書籍の情報を出力する状態にあることが検出された場合に、前記第２辞書画像を前記通信機器に送信する請求項７記載の辞書端末。
【請求項１３】
コンピュータを、
書籍情報に含まれる複数の単語のうち、指定された単語である指定単語を特定し、
辞書データに含まれる複数の見出し語のうち、辞書引きの対象となった見出し語を登録し、
前記登録された見出し語のうち、前記特定された前記指定単語に対応する見出し語を、書籍対応見出し語として抽出し、
前記書籍対応見出し語の抽出状況を示す画像を表示する、
情報表示制御処理を実行させる情報表示制御プログラム。
【発明の詳細な説明】
【技術分野】
【０００１】
本発明は、辞書端末、情報表示制御方法及び情報表示制御プログラムに関する。
【背景技術】
【０００２】
近年の電子辞書には、ユーザ操作により検索された見出し語に、付箋を表すデータを付加する付箋機能が設けられている。付箋機能は、例えば、ユーザ操作により検索された見出し語の情報を表示している際に、ユーザにより選択された付箋の種類に応じて、見出し語を分類することができる。また、付箋機能は、ユーザにより選択された付箋の画像を表示し、この画像に対してユーザにより手書きされた文字の画像を、見出し語と対応づけて記録することができる。
【０００３】
電子辞書は、付箋一覧からなるメニュー画面を表示し、このメニュー画面から選択された付箋を表すデータが付加された見出し語を一覧表示することができる。
【０００４】
また、従来の技術においては、書籍の画像を表示し、この書籍の画像に対するユーザ操作によって指定された頁に、ブックマークが設定されたことを示す、しおりの画像を付加する表示装置が知られている（例えば、特許文献１）。この表示装置は、書籍の画像に付加されたしおりをもとに所望する頁を選択して、該当ページを表示させることができる。
【先行技術文献】
【特許文献】
【０００５】
【特許文献１】特開２０００−２４２３９０号公報
【特許文献２】特許第４３７０８７０号公報
【発明の概要】
【発明が解決しようとする課題】
【０００６】
このように従来技術では、電子辞書の見出し語に付箋を表すデータを付加することができるが、見出し語を付箋の種類毎に分類するだけである。このため、従来の電子辞書では、付箋機能を利用したとしても、どれくらいの回数の辞書引き（見出し語への付箋の付加）をしたか把握することができない。
【０００７】
また、特許文献１に記載された技術では、書籍の画像に実際のしおりを表す画像を付加することができるが、ページに対してブックマークが設定されたことを示すだけである。
【０００８】
本発明は、前記のような課題に考慮してなされたもので、辞書引きされた見出し語の量を直感的に認識させ、さらに電子書籍と連動して辞書引きしたことを直感的に認識させることができるようにして、辞書引きする意欲の向上を図ることができる辞書端末、情報表示制御方法及び情報表示制御プログラムを提供することを目的とする。
【課題を解決するための手段】
【０００９】
上記の課題を解決するために、本発明は、装置が、書籍情報に含まれる複数の単語のうち、指定された単語である指定単語を特定し、辞書データに含まれる複数の見出し語のうち、辞書引きの対象となった見出し語を登録し、前記登録された見出し語のうち、前記特定された前記指定単語に対応する見出し語を、書籍対応見出し語として抽出し、前記書籍対応見出し語の抽出状況を示す画像を表示する、情報表示制御を行うことを特徴とする。
【発明の効果】
【００１０】
本発明によれば、辞書引きされた見出し語の量を直感的に認識させ、さらに電子書籍と連動して辞書引きしたことを直感的に認識させることができるようにして、辞書引きする意欲の向上を図ることが可能となる。
【図面の簡単な説明】
【００１１】
【図１】本実施形態における辞書端末の外観を示す図。
【図２】本実施形態における通信機器を辞書端末として実現した例を示す図。
【図３】本実施形態における電子辞書の電子回路の構成を示すブロック図。
【図４】本実施形態における通信機器の電子回路の構成を示すブロック図。
【図５】本実施形態における電子辞書の情報表示制御処理の動作を説明するためのフローチャート。
【図６】本実施形態における電子辞書の情報表示制御処理の動作を説明するためのフローチャート。
【図７】本実施形態における電子辞書の情報表示制御処理の動作を説明するためのフローチャート。
【図８】本実施形態における電子辞書の情報表示制御処理の動作を説明するためのフローチャート。
【図９】本実施形態における電子辞書の情報表示制御処理の動作を説明するためのフローチャート。
【図１０】本実施形態における通信機器における辞書端末連携処理の動作を説明するためのフローチャート。
【図１１】本実施形態における電子辞書の表示例を示す図。
【図１２】本実施形態における電子辞書の表示例を示す図。
【図１３】本実施形態における電子辞書の表示例を示す図。
【図１４】本実施形態における電子辞書と通信機器の連携を説明するための表示例を示す図。
【図１５】本実施形態における電子辞書と通信機器の連携を説明するための表示例を示す図。
【発明を実施するための形態】
【００１２】
以下、図面により本発明の実施の形態について説明する。  
図１は、本実施形態における辞書端末の外観を示す図である。本実施形態における辞書端末は、電子辞書２として実現される。電子辞書２は、電子辞書データを処理する専用の電子機器である。電子辞書２は、予め内部の記憶媒体に電子辞書データを記録する構成としても良いし、インターネットなどを含むネットワークを介して、外部のサーバ（辞書サーバ）から電子辞書データを受信する構成とすることもできる。
【００１３】
電子辞書２は、他の通信機器４との間で、相互に近距離無線通信が可能である。図１に示す通信機器４は、タブレット装置（タブレット型ＰＣ(personal computer)）により実現した例を示している。なお、通信機器４は、例えばスマートフォン、タッチパネル式のＰＤＡ(personal digital assistants)、ＰＣ(personal computer)、携帯電話、電子ブック、携帯ゲーム機等の他の電子機器により実現することも可能である。
【００１４】
通信機器４は、例えば電子教科書として利用される。通信機器４は、電子書籍アプリケーションプログラムが実装され、例えば学校（小学校など）の授業で使用する教科書のデータをもとに、ユーザ操作に応じて、テキスト、画像、音声等を出力することができる。電子辞書２と通信機器４とは、近距離無線通信を介して、それぞれにおいて実行されるプログラムによって連携した機能を実行可能である。従って、通信機器４は、電子辞書２との近距離無線通信を通じて、電子辞書２の辞書機能を利用することができる。例えば、通信機器４の利用者（生徒）は、図１に示すように、教科書の英文を表示している際に、英文中の単語の意味を電子辞書２の機能を利用して調べることが可能である。
【００１５】
なお、図１では、電子辞書２を辞書端末として実現した例を示しているが、図２に示すように、通信機器４Ａを辞書端末として実現することも可能である。通信機器４Ａは、図１に示す通信機器４と同様に電子教科書を実現するための電子書籍アプリケーションプログラムが実装され、さらに電子辞書２と同様の辞書機能を実現するための電子辞書アプリケーションプログラムが実装される。通信機器４Ａは、電子書籍アプリケーションと電子辞書アプリケーションとの間のアプリ間通信を実行することで、電子辞書２と通信機器４と同様にして、連携した機能を実行可能である。
【００１６】
本実施形態における辞書端末（電子辞書２、通信機器４Ａ）は、辞書機能によって辞書引きされた見出し語を登録し、見出し語の登録量が直感的にユーザに認識されるような表示を行い、さらに電子書籍と連動して辞書引きしたことを直感的に認識させることができるようにする。これにより、ユーザの辞書引きの意欲向上を図ることができるようにする。本実施形態では、付箋機能により付箋が付与された見出し語を登録し、付箋が付与された枚数（見出し語の登録数）に応じて、辞書あるいは書籍を表す画像を膨らんだ形状に変化させることで、見出し語の登録量を直感的にユーザが認識できるようにする。
【００１７】
図３は、本実施形態における電子辞書２の電子回路の構成を示すブロック図である。  
電子辞書２の電子回路は、各種の記録媒体に記録されたプログラムを読み込んで、その読み込んだプログラムによって動作が制御されるコンピュータによって構成される。電子辞書２は、ＣＰＵ(central processing unit)１１、記録媒体読取部１２、表示部（タッチパネル）１３、通信部１４、キー入力部１５、近距離無線通信部１６、及びメモリ１９が備えられる。
【００１８】
ＣＰＵ１１は、メモリ１９に予め記憶された情報表示制御プログラム１９Ａに応じて、回路各部の動作を制御する。情報表示制御プログラム１９Ａは、ＲＯＭカードなどの外部記録媒体１７から記録媒体読取部１２を介してメモリ１９に読み込まれても良いし、あるいはインターネットなどのネットワーク８を通じて読み込まれても良い。
【００１９】
メモリ１９に記憶された情報表示制御プログラム１９Ａは、キー入力部１５、タッチパネル式の表示部１３からのユーザ操作に応じた入力信号、あるいは近距離無線通信部１６を介して接続される通信機器４からの通信信号に応じて起動される。
【００２０】
情報表示制御プログラム１９Ａは、電子辞書２の全体の動作を司るシステムプログラム、通信部１４を介して通信機器４などの外部電子機器とデータ通信するための通信プログラム、電子辞書機能を実現するための電子辞書プログラム、教科書などのテキストを表示するための電子書籍プログラム、通信機器４と連携した処理を実行するための通信機器連携処理プログラム等を含む。
【００２１】
ＣＰＵ１１は、情報表示制御プログラム１９Ａにより、辞書データベースから情報を読み出して表示する情報表示制御処理を実行する。情報表示制御処理には、ユーザにより指定された検索語に対応した見出し語を検索し、見出し語に対応する各種説明情報を表示する辞書機能、検索された見出しに付箋を付与する付箋機能を実行するための処理が含まれる。
【００２２】
また、情報表示制御処理には、近距離無線通信を介して接続される通信機器４を検知し、通信機器４との間で連携して処理する書籍（教科書等）を検出するための連携書籍検出処理、付箋機能により付与された付箋に応じた付箋付き辞書画像を作成する付箋付き辞書画像作成処理、付箋機能により付与された付箋に応じた付箋付き書籍画像を作成する付箋付き書籍画像作成処理が含まれる。
【００２３】
メモリ１９には、辞書データベース１９Ｂが記憶される。辞書データベース１９Ｂには、例えば、国語辞典、英和辞典、和英辞典、英英辞典、百科事典等の各種辞書の辞書データが記憶される。例えば、英和辞典の辞書データとしては、アルファベット順に配列した各英単語の見出し語とその見出し語に対応する詳細説明テキストとが対応づけて記憶される。詳細説明テキストには、例えば、日本語の意味（訳語）、発音記号、用例、解説、括弧書きされた付加データなどからなる説明情報がその発音の音声データと共に記憶される。英和辞典以外の各種の辞書データも、基本的には英和辞典と同様に、各見出し語とその説明情報が対応付けられて記憶される。
【００２４】
なお、辞書データベース１９Ｂは、予め辞書データが記憶されていても良いし、記録媒体１７から読み出した辞書データ、あるいはネットワーク５を通じて辞書サーバ６からダウンロードした辞書データを記憶するようにしても良い。また、予め記憶された辞書データと、辞書サーバ６からダウンロードした辞書データとを組み合わせて使用することもできる。
【００２５】
また、メモリ１９には、付箋データエリア１９Ｃ、辞書膨らみ画像データエリア１９Ｄ、書籍膨らみ画像データエリア１９Ｅ、新出単語リストデータエリア１９Ｈの各データエリアが受けられる。
【００２６】
付箋データエリア１９Ｃは、付箋機能により、ユーザ操作に応じて見出し語に付与された付箋に関する付箋データが記憶される。１つの付箋に対応する付箋データには、付箋の付与対象とする辞書の辞書名、付箋が付与された見出し語、付箋の色（種類）、付箋が付された見出し語に対応する説明情報中のマーカ位置、通信機器４と連携して辞書機能が使用される際に通信機器４で処理される書籍を示すリンク先書籍名、リンク先書籍名が示す書籍中の辞書機能により検索対象とした文字列等を示す対応位置（マーカ位置、ページ／行／桁）などを示すデータが含まれる。付箋データエリア１９Ｃには、各付箋に対応する付箋データが記憶される。
【００２７】
辞書膨らみ画像データエリア１９Ｄは、付箋機能により付箋が付与された枚数（付箋が付与された見出し語の登録数）に応じて表示する辞書画像データを記憶するエリアである。辞書画像データは、例えば付箋が付与された枚数が０枚、１−１０枚、１１−４９枚、５０−１００枚、１０１枚以上のそれぞれに対応する辞書画像データが記憶されているものとする。辞書画像データは、付箋が付与された枚数が多いほど、辞書が膨らんだ状態を表示するためのデータである。辞書画像データは、辞書（辞書データ）に対応して用意されており、処理対象としている辞書の種類を表示する場合や、メニューなどにおいてアイコンとして表示する場合に用いられる。
【００２８】
書籍膨らみ画像データエリア１９Ｅは、付箋機能により付箋が付与された枚数（教科書等の書籍中の付箋が付与された文字列（検索語）の数）に応じて表示する書籍画像データを記憶するエリアである。書籍画像データは、前述した辞書画像データと同様にして、付箋が付与された枚数に応じた書籍画像データが記憶されているものとする。書籍画像データは、付箋が付与された枚数が多いほど、書籍が膨らんだ状態を表示するためのデータである。書籍画像データは、処理対象としている書籍（教科書など）の種類を表示する場合や、メニューなどにおいてアイコンとして表示する場合に用いられる。
【００２９】
新出単語リストデータエリア１９Ｈは、通信機器４と連携した処理が可能な書籍（教科書等）において、新たに使用された単語（新出単語）のリストを示す単語リストデータを記憶するエリアである。単語リストデータは、書籍毎の新出単語リストを含んでおり、書籍における新出単語が掲載される最初の位置（ページ、行など）を示すデータを含んでいる。
【００３０】
表示部１３は、ユーザがペンや指等でタッチした位置を検出するタッチ位置検出装置と表示装置が一体となったタッチパネル構造を有している。例えば、表示部１３は、バックライト付きカラー液晶表示画面に透明タッチパネルを重ねて構成される。表示部１３の表示画面には、必要に応じて、辞書機能を提供するための各種表示領域、テキストを含む各種コンテンツを表示するコンテンツ領域、各種機能のキー入力領域、あるいは各領域が混在する領域に切り替えられる。
【００３１】
通信部１４は、外部機器との通信を制御する。通信部１４は、ＣＰＵ１１により実行される処理に応じて、インターネットを含むネットワーク８を通じて、辞書サーバ６などの外部機器との通信を制御する。
【００３２】
キー入力部１５は、例えば電子辞書２の本体ケースに設けられた各種キー、例えば文字入力キー、辞書キー、訳／決定キー、メニューキー、［戻る］キー、カーソルキーなどからの入力を制御する。
【００３３】
近距離無線通信部１６は、通信機器４などの外部機器との近距離無線通信を制御する。近距離無線通信部１６は、例えばＢｌｕｅｔｏｏｔｈ（登録商標）、無線ＬＡＮ（Local Area Network）などの近距離無線通信を制御する。
【００３４】
なお、辞書サーバ６の記憶装置６Ａには、電子辞書２により利用される辞書データが登録された辞書データベースが記憶される。また、辞書サーバ６は、ネットワーク８を介して接続された複数の電子辞書２から付箋データを受信して、記憶装置６Ａにおいて電子辞書２（辞書端末）毎の付箋データを記憶することができる。辞書サーバ６は、電子辞書２からの付箋データの読出し要求に応じて、要求元の電子辞書２に対応する付箋データを記憶装置６Ａから読み出して送信することができる。電子辞書２は、任意のタイミングで、メモリ１９に記憶された付箋データを辞書サーバ６に送信して登録しておくことができる。
【００３５】
図４は、本実施形態における通信機器４の電子回路の構成を示すブロック図である。  
通信機器４の電子回路は、図４に示すように、プログラムによって動作が制御されるコンピュータによって構成される。
【００３６】
通信機器４は、ＣＰＵ２１、メモリ２９、記録媒体読取部２２、表示部（タッチパネル）２３、無線通信部２４、及び近距離無線通信部２６が備えられる。
【００３７】
ＣＰＵ２１は、メモリ２９内に予め記憶された電子書籍アプリケーションプログラム２９Ａ（以下、電子書籍アプリ２９Ａと称する）に応じて各部の動作を制御する。ＣＰＵ２１は、電子書籍アプリ２９Ａを実行することにより、通信機器４を例えば電子教科書として機能させる。なお、電子書籍アプリ２９Ａは、ＲＯＭカードなどの外部記録媒体２７から記録媒体読取部２２を介してメモリ２９に読み込まれても良いし、あるいはネットワーク８を通じて読み込まれても良い。
メモリ２９に記憶された電子書籍アプリ２９Ａは、表示部（タッチパネル）２３からのユーザ操作に応じた入力信号、あるいは無線通信部２４を介して接続される電子辞書２との通信信号に応じて起動される。
【００３８】
また、ＣＰＵ２１は、メモリ２９に記憶された辞書端末連携処理アプリケーションプログラム２９Ｂ（以下、辞書端末連携処理アプリ２９Ｂと称する）を実行することにより、電子辞書２と連携した処理を実行する。
【００３９】
ＣＰＵ２１は、辞書端末連携処理アプリ２９Ｂにより、電子辞書２の機能を利用した辞書端末連携処理を実行する。辞書端末連携処理には、連携が可能な電子辞書２を検出する電子辞書検出処理、電子辞書２の付箋機能により付与された付箋データをもとに、電子書籍アプリ２９Ａに表示された書籍（教科書）に、付箋や付箋が付与された見出し語に対応する文字列をマーカ表示する付箋表示処理が含まれる。
【００４０】
なお、図２に示すように、通信機器４Ａを辞書端末として実現する場合には、メモリ２９には電子辞書アプリケーションプログラム２９Ｃ（以下、電子辞書アプリ２９Ｃと称する）が記憶される。ＣＰＵ２１は、電子辞書アプリ２９Ｃを実行することにより、図３に示す電子辞書２の辞書機能と同等の機能をソフトウェア的に実現することができる。
【００４１】
メモリ２９には、電子辞書２と連携する処理を実行する際のデータを記憶するために、付箋データエリア２９Ｄが設けられる。
【００４２】
付箋データエリア２９Ｄは、付箋表示処理に用いられる付箋データを記憶する。付箋データには、付箋の付与対象とする辞書の辞書名、付箋が付与された見出し語、付箋の色（種類）、付箋が付された見出し語に対応する説明情報中のマーカ位置（範囲指定位置）、通信機器４と連携して辞書機能が使用された際のリンク先書籍名、辞書機能により検索対象とした文字列等を示すリンク先書籍中の対応位置（マーカ位置、ページ／行／桁）などを示すデータが含まれる。
【００４３】
書籍膨らみ画像データエリア２９Ｅは、付箋が付与された枚数が多いほど、書籍が膨らんだ状態を表示するための書籍画像データを記憶するエリアである。書籍画像データは、例えば連携して処理を実行する電子辞書２から受信されたデータを含む。
【００４４】
辞書膨らみ画像データエリア２９Ｆは、付箋が付与された枚数が多いほど、辞書が膨らんだ状態を表示するための辞書画像データを記憶するエリアである。辞書画像データは、例えば連携して処理を実行する電子辞書２から受信されたデータを含む。
【００４５】
表示部２３は、ユーザがペンや指等でタッチした位置を検出するタッチ位置検出装置と表示装置が一体となったタッチパネル構造を有している。例えば、表示部２３は、バックライト付きカラー液晶表示画面に透明タッチパネルを重ねて構成される。表示部１３の表示画面には、例えば教科書等の書籍のテキストや画像等を表示する領域が設けられる。また、通信機器４が電子辞書２と連携する処理を実行する場合、表示部２３は、電子辞書２で使用される辞書データに対応する辞書画像を表示する。
【００４６】
無線通信部２４は、外部機器との無線通信を制御する。無線通信部２４は、ＣＰＵ２１により実行される処理に応じて、インターネットを含むネットワーク８を通じて、辞書サーバ６などの外部機器との通信を制御する。
【００４７】
近距離無線通信部２６は、電子辞書２などの外部機器との近距離無線通信を制御する。近距離無線通信部２６は、例えばＢｌｕｅｔｏｏｔｈ（登録商標）、無線ＬＡＮ（Local Area Network）などの近距離無線通信を制御する。
【００４８】
次に、本実施形態における電子辞書２（辞書端末）及び通信機器４（電子教科書）の動作について説明する。  
図５、図６、図７、図８及び図９は、本実施形態における電子辞書２の情報表示制御プログラム１９Ａによる情報表示制御処理の動作を説明するためのフローチャート、図１０は、本実施形態における通信機器４の辞書端末連携処理の動作を説明するためのフローチャートである。図１１、図１２、図１３は、本実施形態における電子辞書２の表示例を示す図である。
【００４９】
電子辞書２のＣＰＵ１１は、キー入力部１５から辞書キーが操作されたことが通知されると（ステップＡ１、Ｙｅｓ）、辞書キーにより指定された辞書を検索機能による処理対象として設定する（ステップＡ２）。
【００５０】
ＣＰＵ１１は、指定された辞書についての検索用画面を表示するため、付箋付き辞書画像作成処理を実行する（ステップＡ３）。付箋付き辞書画像作成処理は、検索対象とする辞書に対して付箋機能により付与された付箋の枚数（付箋が付与された見出し語の登録数）に応じた辞書画像を作成するための処理である。なお、付箋付き辞書画像作成処理の詳細については後述する（図７参照）。
【００５１】
図１１（Ｄ）は、付箋付き辞書画像作成処理により作成された辞書画像の一例を示す図である。付箋機能により付箋が付されていない辞書の場合、図１１（Ｄ）に示すように、付箋が付与された枚数が０枚に対応する、膨らみがない初期状態の辞書画像が作成される。
【００５２】
ＣＰＵ２１は、付箋付き辞書画像作成処理で作成された辞書画像を含む検索用画面を表示し、この画面においてユーザ操作により入力された検索文字（検索語）に対応する見出し語を辞書データベースから取得する（ステップＡ４，Ａ５，Ａ６）。そして、ＣＰＵ２１は、辞書データベースから取得した見出し語を含む、見出し語一覧を表示部１３において表示させる。ＣＰＵ２１は、見出し語一覧に表示する見出し語に付箋が付されている場合、付箋データエリア１９Ｃを参照して、該当する見出し語に色つきの付箋マークを付けて表示する。また、ＣＰＵ２１は、見出し語一覧の先頭の見出し語を指定状態にして表示すると共に、指定状態の見出し語に対応する説明情報を表示する。なお、ステップＡ３，Ａ４において検索用画面を表示する処理の詳細については後述する（図１２（Ａ）参照）。
【００５３】
図１１（Ａ）は、例えば辞書「初級ク英和」が指定され、検索語として「ｓｍ」が入力された場合の検索用画面の一例を示す図である。図１１（Ａ）では、画面左側に見出し語一覧が表示され、見出し語「ｓｍａｌｌ」「ｓｍｏｇ」に付箋が付されている。また、画面右側には、先頭の見出し語「ｓｍａｌｌ」の説明情報が表示されている。
【００５４】
検索用画面の左端には、図１１（Ａ）に示すように、複数の機能ボタンが設けられている。機能ボタンには、付箋機能の実行を指示することができる付箋ボタン４０が設けられている。
【００５５】
ここで、図１１（Ｂ）に示すように、付箋ボタン４０が例えばペン３０によりタッチされると（ステップＡ８、Ｙｅｓ）、ＣＰＵ１１は、付箋機能（付箋モード）を起動して、複数の異なる色の付箋（付箋一覧）を示す付箋メニュー４１を表示する（ステップＡ１１）。なお、再度、付箋ボタン４０がタッチされた場合、ＣＰＵ１１は、付箋機能を終了する（付箋モードの解除）。
【００５６】
見出し語一覧から何れかの見出し語が指定されると、ＣＰＵ１１は、指定された見出し語を付箋の付与対象として、他の見出し語と識別可能となるような表示形態により指定表示する（ステップＡ１３）。一方、付箋機能（付箋モード）が起動された後、付箋機能とは関係無い他の操作がされた場合（ステップＡ１５、Ｙｅｓ）、ＣＰＵ１１は、付箋機能（付箋モード）を終了して、操作に応じた処理を実行する。
【００５７】
見出し語が指定表示された状態において、付箋メニュー４１から何れかの色の付箋が指定されると（ステップＡ１４、Ｙｅｓ）、ＣＰＵ１１は、指定表示された見出し語（指定見出し語）に、付箋メニュー４１において指定された色の付箋を表す画像（付箋マーク）を付けて表示する。また、ＣＰＵ１１は、見出し語への付箋マークの付与に応じて、付箋データ（見出し語、付箋の色など）を付箋データエリア１９Ｃに記録する（ステップＡ１６）。すなわち、ＣＰＵ１１は、付箋機能により付箋が付与された見出し語を登録する。
【００５８】
例えば、図１１（Ｂ）に示す状態において、上下カーソルキーが操作されると、図１１（Ｃ）に示すように、見出し語一覧における指定見出し語４２が変更される。図１１（Ｃ）では、下カーソルキーが５回操作されることで、指定見出し語４２が「ｓｍａｌｌ」から「ｓｍｉｌｅ」に変更されている。ここで、付箋メニュー４１から何れかの付箋が指定されると、ＣＰＵ１１は、この指定された付箋に対応する付箋マークを見出し語「ｓｍｉｌｅ」に付与する。
【００５９】
ここで、訳／決定キーが操作されると（ステップＡ１７、Ｙｅｓ）、ＣＰＵ１１は、指定見出し語の説明情報を、画面右側の領域に表示する（ステップＡ１８）。
【００６０】
さらに、説明情報において何れかの文字列が指定されると（ステップＡ１９、Ｙｅｓ）、ＣＰＵ１１は、指定見出し語の付箋データに、説明情報から指定された文字列（指定文字列）のデータを対応づけて追加記録する。また、ＣＰＵ１１は、説明情報中の指定文字列を、指定見出し語に付された付箋マークと同じ色によりマーカ表示（文字の背景色を変更）する。なお、付箋データに追加する文字列（指定文字列）のデータは、文字列のテキストデータでも良いし、例えば説明情報における文字列位置（開始位置、終了位置）を示すデータでも良い。
【００６１】
なお、付箋機能（付箋モード）が実行されている間、訳／決定キーの操作（ステップＡ１７）、及び説明情報における文字列の指定の操作（ステップＡ１９）以外の、付箋機能とは関係無い他の操作がされた場合（ステップＡ１５、Ｙｅｓ）、ＣＰＵ１１は、付箋機能（付箋モード）を終了して、操作に応じた処理を実行する。
【００６２】
こうして、本実施形態における電子辞書２は、付箋機能を利用することで、見出し語に対して任意の色（種類）の付箋を付与することができる。また、電子辞書２は、付箋を付与した見出し語に対応する説明情報について、任意に指定された文字列の範囲を付箋と同じ色によってマーカ表示することができる。
【００６３】
例えば、電子辞書２の利用者は、教科書に表れた単語などについて、電子辞書２の辞書機能を利用して調べた際に、学習済みの単語として見出し語に付箋を付与することができる。このため、学習済みの単語（見出し語）のそれぞれについて付箋を付与していくことで、付箋を付与した枚数が学習量を表すようになる。本実施形態では、電子辞書に付箋を付与した枚数に応じて変化する付箋付き辞書画像を表示することで、どれだけ多くの見出し語について辞書引きによる学習をしたかを、直感的に利用者に認識させることができるようになる。このため、電子辞書２を利用した学習についての意欲を向上させることを期待できる。
【００６４】
次に、本実施形態における付箋付き辞書画像作成処理について、図７に示すフローチャートを参照しながら説明する。図１２（Ａ）は、前述したように、付箋機能により付箋が付与された辞書が辞書キーにより指定された場合の検索用画面の一例を示す図である。例えば、辞書「初級ク英和」が指定された場合、ＣＰＵ１１は、付箋付き辞書画像作成処理により辞書「初級ク英和」についての辞書画像を作成する。
【００６５】
まず、ＣＰＵ１１は、処理対象の辞書の付箋データを付箋データエリア１９Ｃあるいはネットワーク８を介して辞書サーバ６から読み出す（ステップＢ１）。ここで、ＣＰＵ１１は、他の通信機器４との間で連携する処理を実行しているか（連携して処理する書籍（教科書等）があるか）を判別する。
【００６６】
連携中であれば（ステップＢ２、Ｙｅｓ）、ＣＰＵ１１は、処理中の辞書についての全ての付箋データから、連携中の書籍とリンクした付箋データのみに絞り込む（ステップＢ３）。すなわち、ＣＰＵ１１は、通信機器４と連携中の場合には、電子辞書２において付箋が付された全ての見出し語のうち、通信機器４が表示している書籍で用いられている単語に該当する見出し語のみを対象とする。なお、通信機器４と連携する処理の詳細については後述する。
【００６７】
一方、連携中でない場合には（ステップＢ２、Ｎｏ）、ＣＰＵ１１は、処理中の辞書についての全ての付箋データ（付箋が付された全ての見出し語）を対象とする。
【００６８】
ＣＰＵ１１は、見出し語に付与された付箋の枚数（付箋枚数）をカウントし、対象とする辞書と付箋枚数に応じた辞書画像データ（辞書膨らみ画像）を辞書膨らみ画像データエリア１９Ｄから取得する（ステップＢ４）。なお、本実施形態では、辞書膨らみ画像データエリア１９Ｄには、付箋が付与された枚数に応じた辞書画像データが記憶されているとしているが、基本の辞書画像データ（０枚に対応する辞書画像データ）のみが記憶されるとしても良い。この場合、ＣＰＵ１１は、基本の辞書画像データをもとに、付箋枚数に応じた膨らみのある辞書画像（辞書膨らみ画像）を生成する。
【００６９】
次に、ＣＰＵ１１は、対象とする付箋データに含まれる各付箋を辞書画像に付与する処理をする。まず、ＣＰＵ１１は、付箋データ中の先頭の付箋を指定し（ステップＢ５）、この付箋が付された見出し語の説明情報にマーカが設定されているかを判別する（ステップＢ６）。すなわち、ＣＰＵ１１は、付箋データに説明情報中のマーカ位置を示すデータが設定されているかを判別する。
【００７０】
ここで、説明情報にマーカが設定されていない場合（ステップＢ６、Ｎｏ）、ＣＰＵ１１は、対象とする辞書全体の見出し語における、付箋が付された見出し語のデータ位置に応じて、辞書画像の紙の厚さ方向の付箋貼り付け位置を設定する。ＣＰＵ１１は、辞書膨らみ画像の上小口（左右方向のページ幅）の付箋貼り付け位置に、付箋データが示す付箋の色に応じた付箋画像を付加する（ステップＢ７）。なお、付箋画像を付加する左右位置は、各付箋毎に上小口の範囲でランダムに決定しても良いし、見出し語の並びが近い一連の見出し語毎に上小口の範囲でランダムに決定しても良い。
【００７１】
一方、説明情報にマーカが設定されている場合（ステップＢ６、Ｙｅｓ）、ＣＰＵ１１は、対象とする辞書全体の見出し語における、付箋が付された見出し語のデータ位置に応じて、辞書画像の紙の厚さ方向の付箋貼り付け位置に設定する。また、ＣＰＵ１１は、説明情報中のマーカ位置（説明情報全体におけるマーカ位置の割合）に応じて、辞書画像の紙の高さ（上下）方向の付箋貼り付け位置を設定する。ＣＰＵ１１は、辞書膨らみ画像の横小口（縦方向のページ幅）の付箋貼り付け位置（厚さ方向、上下方向）に、付箋データが示す付箋の色に応じた付箋画像を付加する（ステップＢ１０）。
【００７２】
一般に、見出し語に対応する説明情報は、重要（一般的）な内容が上位に記載されているため、説明情報全体におけるマーカ位置に対応して、横小口に付箋画像を付加することで、付箋位置に応じて重要度を判別することができる。例えば、横小口の上に付箋が付加されている場合には、重要な情報についてマーカが設定されていることが簡単に認識できる。
【００７３】
また、ＣＰＵ１１は、説明情報中のマーカ設定の有無に関係無く、付箋量表示を生成する。付箋量表示は、付箋の色（種類）毎の見出し語に付与された付箋枚数（総数）を明示するための画像である。付箋量表示では、例えば、付箋枚数が多い程、厚みが増し、長さが長くなる付箋画像が、付与された付箋の色毎に作成される（図１２（Ａ）に示す付箋量表示４６を参照）。
【００７４】
ＣＰＵ１１は、付箋データに次の付箋のデータがある場合（ステップＢ８、Ｙｅｓ）、次の付箋を指定し（ステップＢ９）、前述と同様に処理を繰り返す（ステップＢ６〜Ｂ８）。全ての付箋を辞書膨らみ画像に付与すると、ＣＰＵ１１は、付箋付き辞書画像作成処理を終了する。
【００７５】
ＣＰＵ１１は、前述した付箋付き辞書画像作成処理により作成された付箋付き辞書画像を用いて検索用画像を表示する（ステップＡ４）。
【００７６】
図１２（Ａ）に示す検索用画面では、ＣＰＵ１１は、付箋付き辞書画像作成処理により作成された付箋付き辞書画像を下側に表示し、上側に検索文字入力用画面を表示している。図１２（Ａ）に示す付箋付き辞書画像４４は、上小口に付箋画像４６が付加され、横小口に付箋画像が付加されていない。すなわち、付箋付き辞書画像４４を参照することで、説明情報にマーカ設定されていないことが識別することができる。また、付箋画像に付加された付箋画像の枚数（付箋量）及び辞書画像の膨らみ具合を参照することで、処理対象とする辞書において見出し語に付箋を付与した付箋枚数、すなわち辞書を利用した学習量を認識することができる。
【００７７】
また、ＣＰＵ１１は、検索用画面に、付箋量表示４６が表示している。図１２（Ａ）に示す付箋量表示４６では、２色（種類）の付箋を示す付箋画像４７ａ，４８ａｂが表示され、それぞれに対応する付箋枚数４７ｂ，４８ｂが表示されている。付箋画像４７ａ，４８ａｂは、付箋枚数４７ｂ，４８ｂが多いほど、厚く、長い形状により表示されている。これにより、付箋量表示４６を参照することで、各色の付箋が何枚付加されているかを直感的かつ具体的に把握することができる。
【００７８】
なお、図１２（Ａ）に示す付箋量表示４６は、処理対象とする辞書に２色（種類）の付箋が付加されているため、２つの付箋画像４７ａ，４８ａｂが表示されている例を示している。付箋量表示４６は、辞書に付与された付箋の色（種類）のそれぞれに対応する付箋画像と付箋枚数が表示される。
【００７９】
次に、メニューキーが操作された場合について説明する。ＣＰＵ１１は、キー入力部１５からメニューキーが操作されたことが通知されると（ステップＡ２１、Ｙｅｓ）、メニュー画面を表示するための処理を実行する。なお、辞書キーあるいはメニューキーを操作する以外の他の操作がされた場合（ステップＡ２２、Ｙｅｓ）、ＣＰＵ１１は、その操作に応じた他の処理を実行するものとして詳細な説明を省略する。
【００８０】
ＣＰＵ１１は、メニュー画面に表示する最初の辞書を処理対象として設定する（ステップＡ２３）。ＣＰＵ１１は、処理対象として設定した辞書について、メニュー画面に辞書画像（アイコン）を表示するため、前述と同様にして（図７に示すフローチャート）付箋付き辞書画像作成処理を実行する（ステップＡ２４）。
【００８１】
ＣＰＵ１１は、付箋付き辞書画像作成処理により作成した辞書画像（アイコン）をメニュー画面に追加表示する（ステップＡ２５）。
【００８２】
メニュー画面に表示する次の辞書がある場合（ステップＡ２６、Ｙｅｓ）、ＣＰＵ１１は、次の辞書を処理対象に設定し（ステップＡ２７）、前述と同様にして、処理対象として設定した辞書について付箋付き辞書画像作成処理を実行し（ステップＡ２４）、辞書画像（アイコン）をメニュー画面に追加表示する（ステップＡ２５）。
【００８３】
メニュー画面に表示する全ての辞書について辞書画像を表示すると（ステップＡ２６、Ｎｏ）、ＣＰＵ１１は、通信機器４との間で連携して処理する書籍（教科書等）を検出するための連携書籍検出処理を実行する（ステップＡ２８）。
【００８４】
図８は、本実施形態における連携書籍検出処理を示すフローチャートである。  
まず、ＣＰＵ１１は、近距離無線通信部１６による近接無線通信により連携（通信）可能な通信機器４を検知する（ステップＣ１）。
【００８５】
連携可能な通信機器４が検知されない場合（ステップＣ２、Ｎｏ）、ＣＰＵ１１は、連携書籍検出処理を終了する。一方、連携可能な通信機器４が検知された場合（ステップＣ２、Ｙｅｓ）、ＣＰＵ１１は、通信機器４に対して、表示中（連携対象）の書籍を問い合わせるためのデータを送信する（ステップＣ３）。
【００８６】
ＣＰＵ１１は、通信機器４から表示中（連携対象）の書籍を示すデータ、例えば書籍名を受信すると（ステップＣ４、Ｙｅｓ）、連携対象の書籍として書籍名を登録して、連携書籍検出処理を終了する（ステップＣ５）。一方、ＣＰＵ１１は、通信機器４から表示中（連携対象）の書籍を示すデータを受信しない場合には、連携する書籍がないものと判別して連携書籍検出処理を終了する。
【００８７】
例えば、通信機器４において書籍（教科書等）が電子書籍アプリ２９Ａによって表示される場合には、この表示中の書籍が連携対象として電子辞書２に登録される。なお、通信機器４において表示部２３に表示されていなくても、書籍を表示する電子書籍アプリ２９Ａが起動中であれば良い。
【００８８】
連携書籍検出処理により連携対象の書籍が検出されなかった場合（ステップＡ２９、Ｎｏ）、ＣＰＵ１１は、書籍に対応するアイコンを含まない、辞書に対応する辞書画像（アイコン）のみによるメニュー画面を表示部１３に表示させる。メニュー画面に表示されたいずれかの辞書画像が、例えばペン３０を用いてタッチする操作がされた場合（ステップＡ３０、Ｙｅｓ）、ＣＰＵ１１は、指定された辞書画像（アイコン）に対応する辞書を使用するための検索用画面を表示し、前述したように検索機能を実行する（ステップＡ２〜Ａ２０）。
【００８９】
一方、連携書籍検出処理により連携対象の書籍が検出された場合（ステップＡ２９、Ｙｅｓ）、ＣＰＵ１１は、連携対象の書籍を処理対象に設定する（ステップＡ３１）。そして、ＣＰＵ１１は、設定された書籍についての書籍画像（アイコン）をメニュー画面に追加表示するために、付箋付き書籍画像作成処理を実行する（ステップＡ３２）。
【００９０】
図９は、本実施形態における付箋付き書籍画像作成処理を示すフローチャートである。  
まず、ＣＰＵ１１は、処理対象の書籍がリンク先書籍名として設定された付箋データを付箋データエリア１９Ｃあるいはネットワーク８を介して辞書サーバ６から読み出す（ステップＤ１）。ＣＰＵ１１は、他の通信機器４において処理対象としている書籍が何れの辞書と連携中であるかを判別する。
【００９１】
辞書と連携中でない場合には（ステップＤ２、Ｎｏ）、ＣＰＵ１１は、基本の書籍画像を生成する（枚数が０枚に対応する書籍画像データをもとにした書籍画像と同じ）（ステップＤ１１）。
【００９２】
一方、辞書と連携中であれば（ステップＤ２、Ｙｅｓ）、ＣＰＵ１１は、処理対象の書籍がリンク先書籍名として設定された全ての付箋データから、連携中の辞書とリンクした付箋データのみに絞り込む（ステップＤ３）。すなわち、ＣＰＵ１１は、通信機器４において表示されている書籍と連携中の辞書において付箋が付された全ての見出し語のうち、通信機器４が表示している書籍で用いられている単語に該当する見出し語のみを対象とする。
【００９３】
ＣＰＵ１１は、対象とする付箋の枚数（付箋枚数）をカウントし、対象とする書籍と付箋枚数に応じた書籍画像データ（書籍膨らみ画像）を書籍膨らみ画像データエリア１９Ｅから取得する（ステップＤ４）。なお、本実施形態では、書籍膨らみ画像データエリア１９Ｅには、付箋が付与された枚数に応じた書籍画像データが記憶されているとしているが、基本の書籍画像データ（０枚に対応する書籍画像データ）のみが記憶されるとしても良い。この場合、ＣＰＵ１１は、基本の書籍画像データをもとに、付箋枚数に応じた膨らみのある書籍画像（書籍膨らみ画像）を生成する。
【００９４】
次に、ＣＰＵ１１は、付箋データに含まれる各付箋を書籍画像に付与する処理をする。まず、ＣＰＵ１１は、対象とする付箋データ中の先頭の付箋を指定し（ステップＤ５）、この付箋が付された見出し語に対応する文字列について、書籍中においてマーカが設定されているかを判別する（ステップＢ６）。すなわち、ＣＰＵ１１は、付箋データにリンク先書籍名が示す書籍中の辞書機能により検索対象とした文字列等を示す対応位置（マーカ位置）を示すデータが設定されているかを判別する。
【００９５】
ここで、書籍中にマーカが設定されていない場合（ステップＤ６、Ｎｏ）、ＣＰＵ１１は、新出単語リストデータエリア１９Ｈの単語リストを参照し、対象とする書籍中における、付箋が付された見出し語に対応する文字列が最初に表れる位置（新出位置）に応じて、書籍画像の紙の厚さ方向の付箋貼り付け位置を設定する。ＣＰＵ１１は、書籍膨らみ画像の上小口の付箋貼り付け位置に、付箋データが示す付箋の色に応じた付箋画像を付加する（ステップＤ７）。これにより、書籍画像の付箋画像が付加された位置をもとに、書籍中の見出し語に対応する文字列の位置を把握することができる。なお、付箋画像を付加する左右位置は、付箋毎に上小口の範囲でランダムに決定しても良いし、見出し語の並びが近い一連の見出し語毎に上小口の範囲でランダムに決定しても良い。
【００９６】
一方、書籍中にマーカが設定されている場合（ステップＤ６、Ｙｅｓ）、ＣＰＵ１１は、対象とする書籍中における指定位置（マーカ位置）に応じて、書籍画像の紙の厚さ方向の付箋貼り付け位置に設定する。また、ＣＰＵ１１は、書籍のページ中におけるマーカ位置（ページ全体におけるマーカ位置の割合）に応じて、書籍画像の紙の高さ（上下）方向の付箋貼り付け位置を設定する。ＣＰＵ１１は、書籍膨らみ画像の横小口の付箋貼り付け位置（厚さ方向、上下方向）に、付箋データが示す付箋の色に応じた付箋画像を付加する（ステップＤ１０）。
【００９７】
ＣＰＵ１１は、付箋データに次の付箋のデータが含まれている場合（ステップＤ８、Ｙｅｓ）、次の付箋を指定し（ステップＤ９）、前述と同様に処理を繰り返す（ステップＤ６〜Ｄ８）。全ての対象とする付箋を書籍膨らみ画像に付与すると、ＣＰＵ１１は、付箋付き書籍画像作成処理を終了する。
【００９８】
図１２（Ｂ）は、書籍画像５６が追加表示されたメニュー画面の一例を示す図である。図１２（Ｂ）では、３種類の辞書「ニュー英和」「初級ク英和」「ロン英英」にそれぞれ対応する辞書画像（アイコン）５０，５２，５４が表示されている。辞書画像（アイコン）５０，５２，５４は、ペン３０あるいはカーソルキーの操作によりアイコン選択カーソル５７を移動させ選択することで、何れかを処理対象として指定することができる。メニュー画面を表示する初期状態では、前回使用された辞書の辞書画像（アイコン）の位置にアイコン選択カーソル５７が表示される。辞書画像（アイコン）５２は、付箋機能により付箋が付されているため、上小口に複数の付箋画像５３が付加されている。
【００９９】
また、図１２（Ｂ）では、通信機器４において連携可能な書籍「ＮＣ英語中１」（教科書）が検出され、この書籍に対応する書籍画像（アイコン）５６が表示されている。なお、連携書籍検索処理において、複数の書籍が検出された場合には、複数の書籍画像（アイコン）が表示される。
【０１００】
なお、書籍画像（アイコン）５６には、書籍「ＮＣ英語中１」においてマーカが設定され、例えば辞書「初級ク英和」と連携中である場合には、辞書「初級ク英和」の付箋データに応じて付箋画像が付加される。
【０１０１】
メニュー画面において何れかの辞書画像（アイコン）が指定された場合（ステップＡ３０、Ｙｅｓ）、ＣＰＵ１１は、指定された辞書画像（アイコン）に対応する辞書を使用するための検索用画面を表示し、前述したように検索機能を実行する（ステップＡ２〜Ａ２０）。
【０１０２】
一方、メニュー画面において、辞書と書籍とを連携させるための連携操作がされた場合（ステップＡ３３、Ｙｅｓ）、ＣＰＵ１１は、連携操作により指定された辞書と、連携対象の書籍の書籍名とを連携対象に設定する（ステップＡ３９）。連携操作は、例えば、図１２（Ｃ）に示すように、辞書画像（アイコン）５２をペン３０ａによりタッチし、書籍画像（アイコン）５６までドラッグする操作とする。
【０１０３】
ＣＰＵ１１は、メニュー画面において連携操作がされると、指定された辞書「初級ク英和」の付箋が付された見出し語のうち、連携する書籍「ＮＣ英語中１」に存在する単語を順に検知し、それぞれの単語に対応する付箋画像５３が、辞書画像（アイコン）５２から書籍画像（アイコン）５６に移動して付箋画像５９として貼り付くアニメーションを表示する（ステップＡ３５）。
【０１０４】
また、ＣＰＵ１１は、付箋付き書籍画像作成処理と付箋付き辞書画像作成処理により、付箋が移動した後の書籍画像と辞書画像をそれぞれ作成して、メニュー画面中の書籍画像と辞書画像を更新する（ステップＡ３６，Ａ３７）。こうして、電子辞書２と通信機器４とが連携する処理を実行する場合に書籍画像と辞書画像を更新することにより、これまでの連携した処理による電子辞書２の利用状況（学習の実行状況）を容易に認識することができる。すなわち、多くの付箋画像が付加された書籍画像が表示されれば、達成感により学習の励みとなり、学習意欲の向上につなげることができる。
【０１０５】
また、ＣＰＵ１１は、通信機器４と連携した処理をするために、付箋付き辞書画像作成処理により作成された付箋付き辞書画像データと、連携された書籍とリンクされた付箋データとを含む連携データを通信機器４に送信する（ステップＡ４５）。
【０１０６】
ここで、図１２（Ｃ）に示すように、ペン３０ｃにより連携された辞書画像（アイコン）５２がタッチ（選択）された場合（ステップＡ４６、Ｙｅｓ）、ＣＰＵ１１は、辞書画像（アイコン）５２に対応する辞書「初級ク英和」の書籍「ＮＣ英語中１」とリンクされた付箋データに応じて、付箋が付された見出し語一覧を表示する（ステップＡ７）。
【０１０７】
図１３（Ａ）は、辞書「初級ク英和」と書籍「ＮＣ英語中１」とが連携された状態での見出し語一覧の表示例を示している。この見出し語一覧には、教科書順配列ボタン６０が設けられている。教科書順配列ボタン６０は、書籍（ここでは教科書）毎の出現順に応じて、見出し語の配列（順番）を変更するためのボタンである。
【０１０８】
図１３（Ｂ）に示すように、教科書順配列ボタン６０がペン３０によりタッチされた場合（ステップＡ９、Ｙｅｓ）、ＣＰＵ１１は、見出し語の配列変更の対象とすることができる教科書（書籍）の名前を、書籍メニュー６４により一覧表示する。例えば、図１３（Ｂ）では、２種類の教科書の名前が書籍メニュー６４において一覧表示されている。初期状態では、現在の一覧表示の対象としている教科書の名前が選択された状態で表示される。
【０１０９】
ここで、例えば、図１３（Ｃ）に示すように、ペン３０によるタッチにより、書籍メニュー６４において他の教科書が選択された場合、ＣＰＵ１１は、指定された教科書に対応する新出単語リストを参照して、新出単語リストが示す順番に応じて、見出し語の順番を変更する（ステップＡ１０）。
【０１１０】
例えば、図１３（Ｂ）では、教科書「ＮＥＷ  ＣＲ」では、見出し語「ｓｍｉｌｅ」は、４つの見出し語の中では３番目の新出単語であるが、図１３（Ｃ）に示すように、教科書「ＮＥＷ  ＨＯ」では、見出し語「ｓｍｉｌｅ」は、最初の新出単語であることを示している。また、見出し語「ｓｍｏｇ」は、教科書「ＮＥＷ  ＨＯ」では使用されていないため、見出し語一覧から削除されている。
【０１１１】
こうして、付箋を付した複数の見出し語について、教科書毎の新出単語の順番で一覧表示させることにより、教科書を学習する際に、説明情報を確認する必要がある見出し語の順番に配列されるので使いやすくすることができる。
【０１１２】
次に、電子辞書２（辞書）と通信機器４（書籍）とが連携して処理する場合の動作について説明する。  
電子辞書２の連携時の処理は、図６（ステップＡ３８〜Ａ４４）に示し、通信機器４の連携時の処理は、図１０に示すフローチャートに示す。
【０１１３】
通信機器４は、辞書端末連携処理アプリ２９Ｂの処理により、近距離無線通信部２６による近距離無線通信により通信可能な電子辞書２を探索する（ステップＥ１）。なお、図２に示す通信機器４Ａにより辞書端末が実現されている場合には、アプリ間通信が可能な
通信機器４のＣＰＵ２１は、連携可能な電子辞書２が検出された場合、あるいは電子辞書２から表示中（連携対象）の書籍を問い合わせるためのデータを受信した場合（ステップＥ２、Ｙｅｓ）、電子書籍アプリ２９Ａにより書籍を表示中であるかを判別する。
【０１１４】
ここで、電子辞書２の辞書と連携可能な書籍を表示中である場合（ステップＥ３、Ｙｅｓ）、ＣＰＵ２１は、表示中の書籍の書籍名を、連携可能な書籍として電子辞書２に送信する（ステップＥ４）。
【０１１５】
ＣＰＵ２１は、電子辞書２から連携データを受信すると（ステップＥ５、Ｙｅｓ）、電子辞書２から受信した連携データをメモリ２９（付箋データエリア２９Ｄ、辞書膨らみ画像データエリア２９Ｆ）に記録する。連携データは、付箋付き辞書画像作成処理により作成された付箋付き辞書画像データと、連携された書籍とリンクされた付箋データとを含む。
【０１１６】
なお、前述した説明では、通信機器４は、電子辞書２から連携データを受信しているとしているが、辞書サーバ６を介して受信しても良い。すなわち、電子辞書２は、連携データを辞書サーバ６に送信して登録させると共に、通信機器４に対して連携データを登録したことを通知する。通信機器４は、電子辞書２からの通知に応じて、辞書サーバ６から連携データをダウンロードして記録する。
【０１１７】
通信機器４のＣＰＵ２１は、連携データを受信すると（ステップＥ７、Ｙｅｓ）、連携データの付箋付き辞書画像データをもとに付箋付き辞書画像を表示部２３において表示させる（ステップＥ８）。また、ＣＰＵ２１は、書籍中の指定されたページ（現在の表示ページ）のデータをもとに、表示部２３の書籍表示領域６２に書籍の内容を表示する。
【０１１８】
また、ＣＰＵ２１は、表示ページに存在している単語（見出し語）に対応する付箋データがあるかを判別する。該当する付箋データがある場合（ステップＥ１１、Ｙｅｓ）、ＣＰＵ２１は、書籍表示領域６２の上側（書籍の上小口に相当する部分）に、該当する付箋データのそれぞれに対応する付箋画像を表示する（ステップＥ１２）。
【０１１９】
図１４（Ａ）は、通信機器４における書籍の表示例を示す図である。図１４（Ａ）では、書籍表示領域６２に書籍の内容が表示されると共に、連携データに応じた付箋付き辞書画像６５が表示されている。こうして、付箋付き辞書画像６５を表示することにより、通信機器４の画面中において、書籍表示領域６２に表示中の書籍と関連して、電子辞書２において登録された付箋（付箋が付与された見出し語の量）の状況を示すことができる。
【０１２０】
また、書籍表示領域６２に表示されたテキスト中には、例えば「ｒｉｇｈｔ」「ｓｍｉｌｅ」の単語が存在している。ここで、見出し語「ｒｉｇｈｔ」「ｓｍｉｌｅ」の付箋データがある場合、図１４（Ａ）に示すように、書籍表示領域６２の上部に各付箋データに対応する付箋画像６３，６４が表示される。付箋画像６３，６４には、見出し語の文字列が表示される。
【０１２１】
これにより、書籍のページを表示させる毎に、電子辞書２において登録した付箋に該当する単語がページ中にあれば、付箋画像６３，６４をもとに容易に認識することができる。例えば、付箋を付与した見出し語（単語）について意識的に確認するなどして、学習効果を向上させることができる。
【０１２２】
ここで、付箋画像６３，６４を指定（タップ）する操作がある場合（ステップＥ１３、Ｙｅｓ）、ＣＰＵ２１は、指定された付箋画像に対応する見出し語（単語）のページ中の位置を検知し、この単語の位置を該当する付箋の色によりマーカ表示すると共に、単語の表示行に位置に合わせて付箋画像の位置を移動させる（ステップＥ１４）。また、ＣＰＵ２１は、指定された付箋画像に対応する付箋を示すデータ（例えば、見出し語）と、マーカ表示した単語の位置（あるいは付箋画像の位置）を電子辞書２に送信する（ステップＥ１５）。
【０１２３】
例えば、図１４（Ａ）において、見出し語「ｓｍｉｌｅ」に対応する付箋画像６４がペン３０によりタップされた場合、ＣＰＵ２１は、単語「ｓｍｉｌｅ」をマーカ表示すると共に、見出し語「ｓｍｉｌｅ」に対応する上小口に表示されていた付箋画像６４を削除して、単語「ｓｍｉｌｅ」の行位置に対応する横小口に付箋画像６７を表示する。また、ＣＰＵ２１は、ページ中の付箋画像６４に対応する単語「ｓｍｉｌｅ」の位置（マーカ位置）を示すデータを該当する付箋データに追加する（リンク付けする）。
【０１２４】
なお、前述した説明では、付箋画像がペン３０によりタップされることで付箋画像の表示位置を変更しているが、他の操作によって単語を指定することも可能である。例えば、図１５（Ａ）に示すように、付箋画像６３をペン３０ｄによりタッチした後、この付箋画像６３に対応する単語「ｒｉｇｈｔ」の位置にペン３０ｅをドラッグさせるようにしても良い。この場合、前述と同様にして、ＣＰＵ２１は、単語「ｒｉｇｈｔ」をマーカ表示すると共に、見出し語「ｒｉｇｈｔ」に対応する上小口に表示されていた付箋画像６３を削除して、単語「ｒｉｇｈｔ」の行位置に対応する横小口に付箋画像６８を表示する。
【０１２５】
こうして、付箋が付与された見出し語（単語）について、付箋画像６３，６４を用いてページ内において確認することができる。確認された単語については、付箋画像位置が横小口に移動されるため、横小口に表示される付箋画像をもとに確認済み（学習済み）の単語の量を視覚的に確認することができる。
【０１２６】
一方、電子辞書２は、通信機器４から付箋（見出し語）の指定が送信されると（ステップＡ３８、Ｙｅｓ）、見出し語一覧において、指定された付箋（見出し語）の説明情報を表示する（ステップＡ３９）。
【０１２７】
例えば、図１４（Ａ）に示すように、見出し語「ｓｍｉｌｅ」の付箋画像６４が指定された場合、通信機器４から電子辞書２に対して、見出し語「ｓｍｉｌｅ」が指定されたことが通知される。電子辞書２は、通信機器４から通知された見出し語に応じて、図１４（Ｂ）に示すように、見出し語「ｓｍｉｌｅ」を指定状態にすると共に、見出し語「ｓｍｉｌｅ」の説明情報を表示する。
【０１２８】
また、ＣＰＵ１１は、通信機器４から送信された、マーカ表示した単語の位置（あるいは付箋画像の位置）をもとに、図１４（Ｂ）に示すように、付箋位置が変更された付箋付き書籍画像７０を表示する。ＣＰＵ１１は、図１４（Ａ）に示すように、通信機器４において付箋画像６４が付箋画像６７の位置に移動されるのと連動して、付箋付き書籍画像７０の上小口に表示された付箋７１を１つ削除し、付箋画像６７の位置に対応する横小口に付箋７２を追加表示する。
【０１２９】
また、図１５（Ａ）に示すように、見出し語「ｒｉｇｈｔ」の付箋画像６３が指定された場合、電子辞書２のＣＰＵ１１は、図１５（Ｂ）に示すように、見出し語「ｒｉｇｈｔ」を指定状態にすると共に、見出し語「ｒｉｇｈｔ」の説明情報を表示する。また、ＣＰＵ１１は、付箋付き書籍画像７０に、見出し語「ｒｉｇｈｔ」に対応する付箋画像７３を横小口に追加表示する。こうして、付箋画像７３を横小口に追加表示することで、書籍と連携して辞書引きしたことを、直感的に認識することが可能となる。
【０１３０】
ＣＰＵ１１は、通信機器４からマーカ表示した単語の位置を受信すると（ステップＡ４０、Ｙｅｓ）、付箋データエリア１９Ｃあるいは辞書サーバ６に記録された指定見出し語の付箋データに、書籍中の位置情報（マーカ位置）を対応づけて記録する（ステップＡ４１）。
【０１３１】
ＣＰＵ１１は、図１４（Ｂ）、図１５（Ｂ）に示す見出し語一覧において何れかの見出し語が選択された場合、説明情報表示画面に切り替えて、選択された見出し語の説明情報を画面全体に表示させる。例えば、図１５（Ｃ）は、図１５（Ｂ）に示す見出し語「ｒｉｇｈｔ」が選択された場合の説明情報表示画面の一例を示している。
【０１３２】
ここで、説明情報中の文字列（単語）がペン３０を用いて指定（タッチ）された場合（ステップＡ４２、Ｙｅｓ）、ＣＰＵ１１は、付箋データエリア１９Ｃあるいは辞書サーバ６に記録された指定された見出し語「ｒｉｇｈｔ」の付箋データに、指定文字列（位置情報）を対応づけて登録する。また、説明情報中で指定された文字列に、見出し語「ｒｉｇｈｔ」に付された付箋の色によりマーカ表示する（ステップＡ４３）。
【０１３３】
例えば、図１５（Ｃ）は、見出し語「ｒｉｇｈｔ」の説明情報において、文字列「右側の」がペン３０の操作によって指定された例を示している。文字列「右側の」は、見出し語「ｒｉｇｈｔ」の付箋データが示す付箋の色によりマーカ表示されると共に、文字位置（マーカ位置）が付箋データに追加される。
【０１３４】
こうして、説明情報にマーカが設定されることにより、前述した付箋付き辞書画像作成処理では、説明情報における文字列「右側の」位置（説明情報全体におけるマーカ位置の割合）に応じて、付箋付き辞書画像の横小口に付箋画像を付加する。例えば、説明情報の先頭から４０％程度の位置に文字列「右側の」がある場合、図１５（Ｄ）に示すように、付箋付き辞書画像７４の横小口全体の上から４０％の位置に、見出し語「ｒｉｇｈｔ」に対応する付箋画像７６が付加される。
【０１３５】
電子辞書２と通信機器４との連携する処理が終了された場合には、図１５（Ｄ）に示す付箋付き辞書画像は、図１５（Ｅ）に示すように、書籍と関係無く電子辞書２において登録された全ての付箋に対応する付箋画像７５が付加された付箋付き辞書画像に変更される。図１５（Ｅ）に示す辞書画像は、付加された付箋の量が図１５（Ｄ）に示す辞書画像よりも多いため、より膨らんだ形状により表示される。説明情報において指定された文字列に対応する付箋画像７６は、図１５（Ｄ）と同様にして、横小口に付加された状態のままとなる。
【０１３６】
なお、通信機器４では、表示中の書籍中から文字列を指定することで、連携する電子辞書２の辞書機能を利用することができる。ＣＰＵ２１は、表示中の書籍から文字列が指定されると（ステップＥ１６）、指定された文字列（単語）をマーカ表示する（ステップＥ１７）。また、ＣＰＵ２１は、指定された文字列（単語）と書籍中の位置を示すデータを電子辞書２に送信する（ステップＥ１８）。
【０１３７】
電子辞書２は、通信機器４から受信した文字列（単語）をもとに辞書検索を実行して、見出し語一覧画面を表示させる。見出し語一覧画面では、図１１（Ｂ）に示すように、通信機器４において指定した文字列についての説明情報を表示させることができると共に、付箋機能を起動して、通信機器４において指定した文字列に対応する見出し語に対して簡単に付箋を付与することができる。見出し語に対して付与された付箋の付箋データには、書籍中の指定された文字列の位置を示すデータが記録される。
【０１３８】
例えば、図１５（Ａ）に示す画面において、文字列「ｓｅｅ」を指定することで、電子辞書２において文字列「ｓｅｅ」に対応する見出し語「ｓｅｅ」の説明情報を表示させることができ、さらに見出し語「ｓｅｅ」に対して付箋を付すことができる。付箋データは、書籍とリンクされたデータとすることができる。
【０１３９】
こうして、電子辞書２と通信機器４が連携した処理に伴って、付箋付き辞書画像及び付箋付き書籍画像を変更することで、書籍と連携した電子辞書２による辞書引きの状況を視覚的に簡単に認識できるようになる。従って、辞書引きした量が多くなっていく状況を知ることができ、電子辞書２を利用した学習意欲の向上を図ることができる。
【０１４０】
なお、前述した説明では、付箋画像を辞書画像あるいは書籍画像に付加する場合に、付箋機能により登録された見出し語に対応する付箋画像を上小口に表示し、マーカ等を設定した場合に対応する見出し語に対応する付箋画像を横小口に表示しているが、付箋画像を付加する位置を上小口と横小口とで入れ替えても良い。また、書籍や辞書の種類（横書き、縦書き）に応じて切り替えられるようにしても良い。
【０１４１】
また、前述した説明では、電子辞書２においてメニュー画面を表示する際に、付箋機能により付箋が付されている辞書の辞書画像に付箋を付加して表示しているが（図１２（Ｂ）（Ｃ））、通信機器４において、書籍のメニュー画面を表示する際に同様にして書籍画像を表示しても良い。すなわち、通信機器４は、電子辞書２と連携する処理によって書籍に付箋が設定されている場合には、付箋が付された枚数（及び付箋が付与された位置）に応じて付箋画像が付加された書籍画像をメニュー画面に表示する。これにより、書籍毎に電子辞書２を利用した学習の状況を容易に認識することが可能となる。この場合、例えば、通信機器４は、電子辞書２によって実行される付箋付き書籍画像作成処理によって作成された書籍画像データを受信して表示すれば良い。
【０１４２】
また、実施形態において記載した手法、すなわち図５〜図８のフローチャートに示す処理の手法、及び図９のフローチャートに示す処理の手法を、コンピュータに実行させることができるプログラムは、メモリカード（ＲＯＭカード、ＲＡＭカード等）、磁気ディスク（フレキシブルディスク、ハードディスク等）、光ディスク（ＣＤ−ＲＯＭ、ＤＶＤ等）、半導体メモリ等の記録媒体に格納して配布することができる。そして、コンピュータは、外部記録媒体に記録されたプログラムを読み込み、このプログラムによって動作が制御されることにより、実施形態において説明した各処理を実現することができる。
【０１４３】
また、各手法を実現するためのプログラムのデータは、プログラムコードの形態としてネットワーク（インターネット）上を伝送させることができ、このネットワーク（インターネット）に接続されたコンピュータ（サーバ装置等）からプログラムデータを取り込み、前述した実施形態と同様の機能を実現することもできる。
【０１４４】
なお、本願発明は、実施形態に限定されるものではなく、実施段階ではその要旨を逸脱しない範囲で種々に変形することが可能である。さらに、実施形態には種々の段階の発明が含まれており、開示される複数の構成要件における適宜な組み合わせにより種々の発明が抽出され得る。例えば、実施形態に示される全構成要件から幾つかの構成要件が削除されたり、幾つかの構成要件が組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【０１４５】
以下に、本願出願の当初の特許請求の範囲に記載された発明を付記する。
【０１４６】
［１］
書籍の情報を出力する通信機器と通信する通信手段と、
複数の見出し語を記憶している辞書データから何れかの見出し語を取得する見出し語取得手段と、
前記見出し語取得手段により取得された見出し語を登録する登録手段と、
前記登録手段により登録された前記見出し語の数に応じた画像を、前記辞書データに対応する辞書画像に付加した第１辞書画像を表示する第１表示手段と、
前記通信手段を通じて前記通信機器が前記書籍の情報を出力する状態にあることが検出された場合に、前記書籍に含まれる単語に対応する、前記登録手段により登録された前記見出し語の数に応じた画像を、前記辞書画像に付加した第２辞書画像を表示する第２表示手段とを有する辞書端末。
【０１４７】
［２］
前記登録手段は、付箋を設定する付箋機能により前記付箋が付与された前記見出し語を登録し、
前記第１表示手段及び前記第２表示手段は、前記登録手段により登録された前記見出し語に対応する付箋を表す付箋画像を、前記辞書画像に付加する［１］記載の辞書端末。
【０１４８】
［３］
前記登録手段により登録された前記見出し語に対応する前記書籍中の単語の位置に応じて、前記書籍を表す書籍画像に前記付箋画像を付加した第１書籍画像を表示する第３表示手段をさらに有する［１］記載の辞書端末。
【０１４９】
［４］
前記第３表示手段は、前記見出し語に対応する前記単語の前記書籍のページ中に含まれる位置に応じて、前記書籍を表す書籍画像に前記付箋画像を付加した第１書籍画像を表示する［３］記載の辞書端末。
【０１５０】
［５］
前記登録手段により登録された前記見出し語に対応する前記説明情報に含まれる文字列を指定する指定手段をさらに有し、
前記第１表示手段及び前記第２表示手段は、前記指定手段により指定された文字列の前記説明情報全体における位置に応じて、前記付箋画像を前記辞書画像に付加する［２］記載の辞書端末。
【０１５１】
［６］
前記通信手段を通じて前記通信機器が前記書籍の情報を出力する状態にあることが検出された場合に、前記第２辞書画像を前記通信機器に送信する［１］記載の辞書端末。
【０１５２】
［７］
コンピュータを、
書籍の情報を出力する通信機器と通信する通信手段と、
複数の見出し語を記憶している辞書データから何れかの見出し語を取得する見出し語取得手段と、
前記見出し語取得手段により取得された見出し語を登録する登録手段と、
前記登録手段により登録された前記見出し語の数に応じた画像を、前記辞書データに対応する辞書画像に付加した第１辞書画像を表示する第１表示手段と、
前記通信手段を通じて前記通信機器が前記書籍の情報を出力する状態にあることが検出された場合に、前記書籍に含まれる単語に対応する、前記登録手段により登録された前記見出し語の数に応じた画像を、前記辞書画像に付加した第２辞書画像を表示する第２表示手段として機能させるための情報表示制御プログラム。
【符号の説明】
【０１５３】
２…電子辞書、４，４Ａ…通信機器、１１，２１…ＣＰＵ、１９，２９…メモリ、１９Ａ…情報表示制御プログラム、１９Ｃ…付箋データエリア、２９Ａ…電子書籍アプリケーションプログラム、２９Ｂ…辞書端末連携処理アプリケーションプログラム。
【図１】
0006536214.tif 000002
【図２】
0006536214.tif 000003
【図３】
0006536214.tif 000004
【図４】
0006536214.tif 000005
【図５】
0006536214.tif 000006
【図６】
0006536214.tif 000007
【図７】
0006536214.tif 000008
【図８】
0006536214.tif 000009
【図９】
0006536214.tif 000010
【図１０】
0006536214.tif 000011
【図１１】
0006536214.tif 000012
【図１２】
0006536214.tif 000013
【図１３】
0006536214.tif 000014
【図１４】
0006536214.tif 000015
【図１５】
0006536214.tif 000016